(57)【要約】【課題】  複数の節電項目をオン・オフして節電機能を選択する場合、簡単な操作でユーザが所望する節電機能を選択することができるようにする。【解決手段】  メモリ１９にはテレビジョン受像機、ＤＶＤ、ＬＣＤ１２における複数の節電項目を組み合わせてグループ化した複数の節電モードが記憶され、マイコン１０によって複数あるうちの一つの節電モードをオン・オフ制御することにより、その節電モードが含む複数の節電項目を一括してオン・オフ制御することが可能である。この節電モードに従ってバックライト１３の調光レベルを設定した明るさまで暗くするか又はバックライト１３を自動的にシャットダウンする。【選択図】      図１
2006254185.tif 000002
【特許請求の範囲】
【請求項１】
制御手段からの指令によって表示を行う表示手段と、節電モード時に少なくとも表示手段への電源供給を抑制又は遮断する電源制御手段と、前記節電モードを記憶する記憶手段とを備えた節電機能を有する電子機器において、前記記憶手段には、複数の節電項目を組み合わせてグループ化した複数の節電モードが記憶され、複数あるうちの一つの節電モードをオン・オフ制御することにより、該節電モードが含む複数の節電項目を一括してオン・オフ制御するように構成したことを特徴とする節電機能を有する電子機器。
【請求項２】
請求項１記載の節電機能を有する電子機器において、前記グループ化した節電モードにおける各節電項目が、それぞれ個別にオン・オフ制御可能であることを特徴とする請求項１記載の節電機能を有する電子機器。
【請求項３】
請求項１又は２記載の節電機能を有する電子機器において、グループ化した節電モードを連番とし、その上位の節電モードをオン設定した際、下位側の節電モードも追従して同時にオンする機能を備えたことを特徴とする節電機能を有する電子機器。
【請求項４】
請求項１〜３の何れか１項に記載の節電機能を有する電子機器において、グループ化した何れかの節電モードを選択した際、その節電モードを選択した際のデメリットを表示する警報表示機能と、各節電モードに応じた節電効果を示す節電効果表示機能を有することを特徴とする節電機能を有する電子機器。
【請求項５】
請求項１〜４の何れか１項に記載の節電機能を有する電子機器において、前記表示手段が、テレビジョン受信機やパーソナルコンピュータ等に用いる液晶表示装置であって、前記節電モードとして前記液晶表示装置を照明するバックライトへの電源制御を含むことを特徴とする。
【発明の詳細な説明】
【技術分野】
【０００１】
制御手段からの指令によって表示を行う表示手段を備えた電子機器、特に、表示手段としてバックライトで照明する液晶表示装置を備えた節電機能を有する電子機器に関する。
【背景技術】
【０００２】
従来からパーソナルコンピュータの機能として、映像信号に変化が無い場合、液晶表示装置やＣＲＴ（Ｃａｔｈｏｄｅ  Ｒａｙ  Ｔｕｂｅ：陰極線管）などの表示手段への電源供給を停止してスタンバイ状態とする電源管理機能を備えており、このような液晶表示装置における電源管理に関する技術として従来から種々のものが提案されており、例えば特許文献１、2等には、液晶表示装置に表示されている映像が静止画か動画であるかに基づいてバックライトの輝度を下げるように構成した液晶表示装置が提案されている。
【０００３】
ところで、近年、省エネ化が要望され、単にパーソナルコンピュータに限らず各種電子機器に節電機能が広く採用されており、例えば、特許文献３には、音楽ＣＤ及び映像表示を伴うＣＤＲＯＭ再生を行う映像表示装置において、再生するＣＤが音楽ＣＤ場合には表示系の電源を自動的にオフする映像表示装置が提案され、また、特許文献４には、バックライト機能を有する液晶表示装置を備え、室内に温風を供給する温風暖房機において、おはようタイマ運転待機中とおやすみタイマ運転中は、バックライトの光源の輝度を通常時よりは減光するように構成した温風暖房機が提案されている。
【０００４】
【特許文献１】特開２００２―１２３２２３号公報
【特許文献２】特開２００３―２７１１０６号公報
【特許文献３】特開平０９−１３９９２４号公報
【特許文献４】特開２００３−０５００５３号公報
【発明の開示】
【発明が解決しようとする課題】
【０００５】
このように、各種電子機器には、一定時間、信号が無い状態が継続した場合、節電機能が作動するようになっているが、節電機能が作動する諸条件は、それぞれの電子機器の機能に応じて種々異なる。このため、複数の機能を備えた複合機、例えば、表示手段として液晶表示装置を有し、かつ、ＤＶＤやハードディスクなどの情報記録媒体の再生又は／及び記録を行なう記憶再生装置などを備えた複合型テレビジョン受像機などによっては、それぞれの機能に応じて異なる複数の節電機能を有していることから、例えば、ユーザが複数ある節電機能を選択する際、その選択項目を一つずつ選択する必要があり、ユーザが所望する節電機能となるように設定するのに手間と時間がかかるばかりでなく、操作性が悪く、ユーザが所望する節電機能を簡単に選べない、という課題を有していた。
【０００６】
本発明は上記課題を鑑みてなされたものであり、複数の節電項目をオン・オフして節電機能を選択する場合、簡単な操作でユーザが所望する節電機能を選択することができる節電機能を有する電子機器を提供することを目的とする。
【課題を解決するための手段】
【０００７】
請求項１に係る節電機能を有する電子機器は、制御手段からの指令によって表示を行う表示手段と、節電モード時に少なくとも表示手段への電源供給を抑制又は遮断する電源制御手段と、前記節電モードを記憶する記憶手段とを備えた節電機能を有する電子機器において、前記記憶手段には、複数の節電項目を組み合わせてグループ化した複数の節電モードが記憶され、複数あるうちの一つの節電モードをオン・オフ制御することにより、該節電モードが含む複数の節電項目を一括してオン・オフ制御する節電機能を有することを特徴とする。
【０００８】
請求項１の構成によれば、節電モードが含む複数の節電項目を一括してオン・オフ制御することが可能である。
【０００９】
請求項２に係る節電機能を有する電子機器は、請求項１記載の節電機能を有する電子機器において、前記グループ化した節電モードにおける各節電項目が、それぞれ個別にオン・オフ制御可能であることを特徴とする。
【００１０】
請求項２の構成によれば、グループ化した節電モードにおける各節電項目をそれぞれ個別にオン・オフ制御することで、ユーザの好み又は習慣に応じた節電モードを自由に選択することが可能となる。
【００１１】
請求項３に係る節電機能を有する電子機器は、請求項１又は２記載の節電機能を有する電子機器において、グループ化した節電モードを連番とし、その上位の節電モードをオン設定した際、下位側の節電モードも追従して同時にオンする機能を備えたことを特徴とする。
【００１２】
請求項３の構成によれば、上位のグループを選べば下位のグループの節電モードも追従してオンすることができるから、選択時の選択回数を削減することが可能となる。
【００１３】
請求項４に係る節電機能を有する電子機器は、請求項１〜３の何れか１項記載の節電機能を有する電子機器において、グループ化した何れかの節電モードを選択した際、その節電モードを選択した際のデメリットを表示する警報表示機能と、各節電モードに応じた節電効果を示す節電効果表示機能を有することを特徴とする。
【００１４】
請求項４によれば、グループ化した何れかの節電モードを選択した際、その節電モードにおけるデメリットと節電効果が表示され、それらを判断した上でユーザが選択することが可能である。
【００１５】
請求項５に係る節電機能を有する電子機器は、請求項４の構成によれば、前記表示手段が、テレビジョン受信機やパーソナルコンピュータ等に用いる液晶表示装置であって、前記節電モードとして前記液晶表示装置を照明するバックライトへの電源制御を含むことを特徴とする。
【００１６】
請求項５の構成によれば、節電モードにおいて、液晶表示装置を照明するバックライトを制御することで液晶表示装置の省電力化が可能となる。
【発明の効果】
【００１７】
請求項１に係る節電機能を有する電子機器によれば、制御手段からの指令によって表示を行う表示手段と、節電モード時に少なくとも表示手段への電源供給を抑制又は遮断する電源制御手段と、前記節電モードを記憶する記憶手段とを備えた節電機能を有する電子機器において、前記記憶手段には、複数の節電項目を組み合わせてグループ化した複数の節電モードが記憶され、複数あるうちの一つの節電モードをオン・オフ制御することにより、該節電モードが含む複数の節電項目を一括してオン・オフ制御する節電機能を有するものであるから、ユーザはそれぞれ複数の節電項目をそれぞれ個別に選択する必要はなく、グループ毎に一括してオン・オフすることができるから、極めて簡単に節電モードの選択が可能となり、特に、複合型の電子機器においては、節電項目が多種多様に存在し、各節電項目毎に選択する必要が無いため、節電モードを効率的に選択できるとともに、操作性にも優れる。
【００１８】
請求項２に係る節電機能を有する電子機器によれば、請求項１記載の節電機能を有する電子機器において、前記グループ化した節電モードにおける各節電項目は、それぞれ個別にオン・オフ制御可能であるものであるから、グループ化した節電モードにおける各節電項目をそれぞれ個別にオン・オフ制御することで、ユーザの好み又は習慣に応じた節電モードを自由に選択することが可能となる。
【００１９】
請求項３に係る節電機能を有する電子機器によれば、請求項１又は２記載の節電機能を有する電子機器において、節電レベル上位の節電モードをオフした際、節電レベル下位側の節電モードも追従して同時にオフする機能を備えたものであるから、上位のグループの節電モードを選べば下位のグループの節電モードもオンすることから、より簡単に節電モードを選択することができる。
【００２０】
請求項４に係る節電機能を有する電子機器によれば、請求項１〜３の何れか１項記載の節電機能を有する電子機器において、グループ化した何れかの節電モードを選択した際、その節電モードを選択した際のデメリットを表示する警報表示機能と、各節電モードに応じた節電効果を示す節電効果表示機能を有するものであるから、ユーザが選択した節電モードにおけるデメリットと節電効果が表示され、それらを判断した上でユーザが選択することができる。
【００２１】
請求項５に係る節電機能を有する電子機器によれば、請求項１〜４の何れか１項記載の節電機能を有する電子機器において、前記表示手段が、テレビジョン受信機やパーソナルコンピュータ等に用いる液晶表示装置であって、前記節電モードとして前記液晶表示装置を照明するバックライトへの電源制御を含むものであるから、バックライトを制御することで液晶表示装置の消費電力を抑えることができる。
【発明を実施するための最良の形態】
【００２２】
以下、本発明を実施するための最良の形態としての実施例を図１〜図１０を参照して説明する。もちろん、本発明は、その発明の趣旨に反さない範囲で、実施例において説明した以外のものに対しても容易に適用可能なことは説明を要するまでもない。
【００２３】
本実施例においては、表示手段として液晶表示装置（Ｌｉｑｕｉｄ  Ｃｒｙｓｔａｌ  Ｄｉｓｐｌａｙ：以下、単にＬＣＤという）を備えるとともに、ＤＶＤ又はＨＤＤ（ハードディスクドライブ）などの記憶再生装置とテレビジョン受像機とを一体化した複合型電子機器に適用した場合を示し、図１のブロック図により、機器全体の構成について説明する。複合型電子機器１は、アナログ系信号を処理するアナログチューナ，ＡＶブロック２と記憶再生装置としてのＤＶＤからの信号を処理するＤＶＤブロック３、デジタルチューナからの信号を処理するデジタルチューナブロック４、映像・音声・制御信号を合わせて送受信するための処理を行うＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ブロック５、コンポーネント信号（Ｙ，Ｕ，Ｖ信号、Ｓ端子信号等）を処理するコンポーネントブロック６、ＰＣからの信号を処理するＰＣブロック７を備え、アナログチューナ，ＡＶブロック２とＤＶＤブロック３からのアナログ信号はＳＣＡＬＥＲ（スケーラ）ＩＣ８に出力され、ＨＤＭＩブロック５、コンポーネントブロック６及びＰＣブロック７からの信号はＡ／Ｄ  ＩＣ９に出力され、Ａ／Ｄ変換され、ＳＣＡＬＥＲ  ＩＣ８に出力される。ＳＣＡＬＥＲ  ＩＣ８から電源制御手段たるマイコン１０に信号が出力され、マイコン１０でパワーブロック１１を制御するとともに、ＬＣＤ１２のバックライト１３を制御する。
【００２４】
次にマイコン１０の内部処理の概略を図２のブロック図を参照して説明する。複合型電子機器１には外部接続端子としてアンテナからの放送信号を入力するアンテナ端子１５ａ、ＤＶＤプレーヤ、ハードディスクドライブなどのＡＶ機器からの映像音声信号を入力するＡＶ端子１５ｂ、高画質用、コンポーネント信号（Ｙ，Ｕ，Ｖ信号、Ｓ端子信号等）を入力するコンポーネント端子１５ｃ、デジタル信号を入力するＨＤＭＩ端子１５ｄ、パーソナルコンピュータ（以下単にＰＣと称す）からの各Ｒ，Ｇ，Ｂ信号を入力するＰＣ  Ｄ−ＳＵＢ端子１５ｅなどなら成り、これら端子１５ａ〜１５ｅからの信号が映像検出部１６からマイコン１０へ出力される。マイコン１０は、制御部１７、指示部１８、メモリ１９、カウンタ部２０を有し、マイコン１０によって色復調・コントラスト・色の濃さ等の映像調整処理を行ってＬＣＤ１２に映像として表示させるための処理を行う。マイコン１０は、ＬＣＤパネル２５のバックライト制御部２６を制御してＬＣＤ１２の輝度を制御するとともに、視聴者による入力操作が行われる入力手段たるリモコン３０あるいは本体キー（図示せず）からのキー入力信号によって指示部１８によってリモコン操作に応じて処理を行う。メモリ１９は、節電機能のオン・オフ情報、設定された複数の節電モードによって各節電モードに応じたＬＣＤ１２の輝度を設定するための調光情報などが記憶されている。カウンタ部２０は、節電機能を動作させる際のタイマカウントを行う。なお、マイコン１０には、ＤＶＤ駆動部３１を制御するＤＶＤマイコン３２からの信号が出力され、ＤＶＤ駆動部３１における節電モードの制御も行う。なお、図２における３５はマイコン１０に電源を供給する電源部である。
【００２５】
メモリ１９にはテレビジョン受像機、ＤＶＤ、ＬＣＤ１２における複数の節電項目を組み合わせてグループ化した複数の節電モードが記憶され、マイコン１０によって複数あるうちの一つの節電モードをオン・オフ制御することにより、その節電モードが含む複数の節電項目を一括してオン・オフ制御することが可能である。例えば、本実施例では、ＤＶＤ又はハードディスクドライブなどの記憶再生装置とテレビジョン受像機を組み合わせた複合型電子機器であり、グループ１としては、（１）ＲＦ信号の受信時、放送信号終了又はコネクタなどの抜けによって映像信号入力が無くなり、オートシャットダウンが働くまでの間、１５分間、バックライト１３の調光レベルをゼロまで下げる。（２）外部（ＡＶ、Ｓ，コンポーネント、ＰＣ）入力時、無入力だった場合、オートシャットダウンが働くまでにバックライト１３の調光レベルをゼロまで下げる。（３）映像信号に変化が見られない状態が１５分継続したら、バックライト１３の調光レベルをゼロまで下げ、さらに１５分継続したらオートシャットダウンする。（４）３時間の間、本体キー及びリモコン３０からの入力が無かったらオートシャットダウンする。といった節電項目を備えた節電モードである。
【００２６】
グループ２としては、（１）ＲＦ信号の受信時、ノイズ（又は、ブルーバック画面）画面が１分間続いたら、バックライト１３をオフさせ、さらに５分でオートシャットダウンする。（２）外部（ＡＶ、Ｓ，コンポーネント、ＰＣ）入力時、無入力の状態が１分間続いたら、バックライト１３をオフさせ、さらに５分でオートシャットダウンする。（３）ＤＶＤのロゴ画面時、ＣＤ再生時のバックライト１３の調光レベルを半分まで下げる。（４）スリープモード時に設定した際、自動的にバックライト１３の調光レベルを半分まで下げ、さらに、タイマの設定時間に応じてバックライト１３の調光レベルを下げる。例えば、設定時間を６０分以上に設定した場合、残り時間が設定時間の１／２になったらバックライト１３の調光レベルを０まで下げる。（５）各３つのピクチャモード、例えば、スポーツ、スタンダード、ムービモード時において、通常はブライト／コントラストの設定だけで、各ピクチャモードの明るさを調整しているのをバックライト１３の調光レベルを連動させる。具体例としては、スポーツモードでは、調光レベルをハイ（＋１２〜＋１６ステップ）、スタンダードモードでは、調光レベルをミドル（＋５〜＋８ステップ）、ムービモードではミニマム（０ステップ）とする。（６）ＰＣ入力時には、最初から調光レベルをミドル（＋８ステップ）とする。（７）クロック機能に対し、ＡＭ１０：００〜ＰＭ４：００まではバックライト１３の調光レベルをミドルに設定し、それ以外の時間はバックライト１３による調光を行わないようにする。といった節電項目を備えた節電モードである。
【００２７】
グループ３としては、（１）自動でユーザが使用している入力系統を自動的にカウントし、普段使用頻度の少ない入力系統に必要な電源をオフする。（２）手動によりユーザが使用する入力系統を設定し、使用しない入力系統でしか使用しない電源をオフする。（３）現在使用している入力系統に必要な回路部分のみ電源をオンさせ、その他の不必要な回路部分の電源をオフする。といった節電項目を備えた節電モードである。なお、これら節電モードのグループ分けは消費電力削減効果の小、中、大、毎に番号付けされる。すなわち、グループ１から２、３へと昇順するのに伴って消費電力削減効果は高くなる。
【００２８】
これらの節電モードは、ユーザがリモコン３０を介して表示命令を与えたとき、例えば、メニューキーを押したときに図３で示すように機能設定画面４０が表示される。機能設定画面４０には、１．個別設定、２．連鎖設定、３．手動設定の各設定項目が表示され、カーソルキーなどの選択キーによって、視聴者が希望する設定項目を選択する。１．個別設定を選択すると、図４に示すように節電機能画面４１となり、グループ分けした各節電モード毎にオン・オフを選択することができる。２．連鎖設定は通常、オフとなっており、オンを設定すると上位のグループをオンすると、自動的に下位のグループの節電モードがオンする。すなわち、グループ２を選択すると自動的にグループ１がオンし、グループ３を選択すると自動的に全てのグループ１〜３がオンする。３．手動設定を選択すると、図５（ａ）〜（ｃ）に示すように各グループ１〜３の設定項目の内容が表示される詳細設定画面４２に切り換わり、ここで各グループ１〜３毎又はグループ内の詳細設定について個別にオン・オフを選択することができる。また、そのグループ１の節電モードにおける各節電項目を表示するか否かを選択することができる。また、グループ１〜３の何れかをオンするように選択すると、図６示すように、選択したグループ１〜３に応じた警報表示画面４３に切り換わり、その節電モードを選択した際のデメリットが表示され、その警報表示画面４３のグループ化した任意の節電モードへと切り変わる。さらに、警報表示画面４３にて表示された不具合を了承した場合、図７に示すように、各節電モードに応じた節電効果を示す表示画面４４となり、この表示画面４４でグラフ表示され、例えば、１０％の節電が可能であることをユーザに表示する。
【００２９】
次に図８に示すフローチャートを参照して本実施例における節電モードについて説明する。複合型電子機器１をオンすると、節電機能がオンしているか否かを判別し（ステップＳ１）、オフ設定となっていた場合、節電機能を起動しない（ステップＳ２）。節電機能をオンしている場合、グループ１〜３の何れかを選択しているかを判別し、グループ１を選択している場合、節電機能画面４１でユーザが何れかを選択しているかを判別する（ステップＳ３）。すなわち、グループ化した節電モードを選択している場合、グループ１の（１）〜（４）の節電項目を一括してオンし、グループ１の節電項目を個別に設定している場合、ユーザが選択した節電項目のみをオンする（ステップＳ４）。グループ２又は３を選択している場合、グループ１と同様、ユーザの選択に応じて節電モードとなるように制御する（ステップＳ５、６）。
【００３０】
次に節電モード時におけるバックライト１３の制御について図９〜図１１のフローチャートを参照して説明する。図９は無信号時のバックライト１３の制御を示しており、まず、映像信号があるかを判別し（ステップＳ１０）、映像信号がある場合、バックライト１３を点灯する（ステップＳ１１）。映像信号がない場合、節電機能がオンしているかを判別した後（ステップＳ１２）、その映像信号の無い時間をカウンタ部２０で計測し、メモリ１９に記憶された時間以上、映像信号の無い状態が継続した場合、バックライト１３の調光レベルを設定した明るさまで暗くするか又はバックライト１３をシャットダウンする（ステップＳ１３、１４、１５）。なお、映像信号の無い時間がメモリ１９に記憶された時間より短い場合、バックライト１３を点灯する（ステップＳ１１）。また、図１１に示すＰＣモードの場合、図９に示したフローチャートと同様な処理を行うが、ＰＣモードの場合、入力信号があるかを判別することによって、入力信号の無い状態が継続した場合、バックライト１３の調光レベルを設定した明るさまで暗くするか又はバックライト１３をシャットダウンし（ステップＳ２０、２２、２３、２４、２５）、節電機能がオフあるいは入力信号の無い時間がメモリ１９に記憶された時間より短い場合、バックライト１３を点灯する（ステップＳ２１）。
【００３１】
ＤＶＤ／ＣＤ再生時には、図１０に示すように、ＤＶＤ／ＣＤ再生モードがあるかを判別し（ステップＳ３０）、ＤＶＤ／ＣＤ再生モードでは無い場合、バックライト１３の調光レベルは可変しない（ステップＳ３１）。ＤＶＤ／ＣＤ再生モード時には、節電機能がオンしているかを判別した後（ステップＳ３２）、オンの場合、ユーザが設定している明るさに調光レベルの変更又はバックライト１３をシャットダウンし（ステップＳ３３）、節電機能がオフの場合、バックライト１３の調光レベルは可変しない（ステップＳ３１）。
【００３２】
以上のように、本実施例においては、複数の節電項目を組み合わせてグループ化した複数の節電モードがメモリ１９に記憶され、複数あるうちの一つの節電モードをオン・オフ制御することにより、ユーザはそれぞれ複数の節電項目をそれぞれ個別に選択する必要はなく、グループ毎に一括してオン・オフすることができるから、極めて簡単に節電モードの選択が可能となり、特に、本実施例のように、複合型の電子機器においては、節電項目が多種多様に存在することから、節電モードの選択を効率的に行えるとともに、操作性にも優れる。さらに、連鎖設定を行えば、節電効果の高い上位のグループを選べば下位のグループの節電モードもオンすることから、より簡単に節電モードを選択することができる。また、手動設定を選択すれば、ユーザが所望する節電機能のみをオンすることができ、ユーザの好み又は習慣に応じた節電モードを自由に選択することができ、また、節電機能を選択する際、グループ１〜３の何れかをオンするように選択すると、選択したグループ１〜３に応じた警報表示画面４３に切り換わり、その節電モードを選択した際のデメリットが表示されることから、ユーザはその警報内容を判断した上で選択することができる。さらに、表示画面４４で各節電モードに応じた節電効果がグラフ表示され、例えば、１０％の節電が可能であることを表示することができるため、そのユーザは選んだ節電モードに応じて、その節電効果を判断することができる。
【００３３】
以上、本発明の一実施例について詳述したが、本発明は前記実施例に限定されるものではなく、本発明の要旨の範囲内で種々に変形実施が可能である。例えば、前記実施例では、ＤＶＤ又はＨＤＤ（ハードディスクドライブ）などの記憶再生装置とテレビジョン受像機とを一体化した複合型電子機器を示したが、必ずしもこれに限定されるものではない。また、グループ化した節電項目も前記実施例に限らず適宜選定すればよい。また、節電モードに応じた節電効果を表示する際、グラフ表示した例を示したが、円グラフやバーコードなどによって視覚的に表示させてもよく、さらに、単に数字などで表示するように構成してもよい。
【図面の簡単な説明】
【００３４】
【図１】本発明の一実施例を示す機器全体の構成の概略を示すブロック図である。
【図２】同上、マイコンの内部処理の概略を示すブロック図である。
【図３】同上、機能設定画面を示す正面図である。
【図４】同上、節電機能画面を示す正面図である。
【図５】同上、図５は、各グループの詳細設定画面を示す正面図であり、図５（ａ）はグループ１の詳細設定画面、図５（ｂ）グループ２の詳細設定画面、図５（ｃ）はグループ３の詳細設定画面を示している。
【図６】同上、警報表示画面を示す正面図である。
【図７】同上、節電モード時における節電効果表示画面を示す正面図である。
【図８】同上、節電モード時におけるグループ毎のバックライトの制御を示すフローチャートである。
【図９】同上、無信号時のバックライトの制御を示すフローチャートである。
【図１０】同上、ＤＶＤ／ＣＤ再生時におけるバックライトの制御を示すフローチャートである。
【図１１】同上、ＰＣモード時におけるバックライトの制御を示すフローチャートである。
【符号の説明】
【００３５】
１  複合型電子機器
１０  マイコン（電源制御手段）
１２  ＬＣＤ（表示手段）
１３  バックライト
１９  メモリ（記憶手段）
２６  バックライト制御部
３０  リモコン（入力手段）
【図１】
2006254185.tif 000003
【図２】
2006254185.tif 000004
【図３】
2006254185.tif 000005
【図４】
2006254185.tif 000006
【図５】
2006254185.tif 000007
【図６】
2006254185.tif 000008
【図７】
2006254185.tif 000009
【図８】
2006254185.tif 000010
【図９】
2006254185.tif 000011
【図１０】
2006254185.tif 000012
【図１１】
2006254185.tif 000013